(57)【要約】【課題】  動物に対して安全で、かつスリルや楽しみを倍増させることができる動物用遊戯設備を提供する。【解決手段】  床面にドーナツ状に凹設された水路槽２と、前記水路槽２より内側に設けた支柱３に懸架された支持部材４と、動物６を保持すると共に前記水路槽２上に位置するように支持部材４に接続された吊物手段５と、前記支柱３または支持部材４を昇降回転させる駆動機構７とを備え、特に駆動機構７は、吊物手段５に動物６を保持および解除させる際に吊物手段５を上方に位置させると共に、吊物手段５に動物６を保持させて回転させる際に吊物手段５を前記動物６が水面に漬すように位置させる構成とする。【選択図】  図２
2007274970.tif 000002
【特許請求の範囲】
【請求項１】
ドーナツ状に形成された水路槽と、前記水路槽より内側に設けた支柱に懸架された支持部材と、動物を保持すると共に前記水路槽上に位置するように支持部材に接続された吊物手段と、前記支柱または支持部材を昇降回転させる駆動機構とを備えたことを特徴とする動物用遊戯設備。
【請求項２】
ドーナツ状に形成された水路槽と、前記水路槽より内側に設けた支柱に、昇降回転可能に懸架された支持部材と、動物を保持すると共に前記水路槽上に位置するように支持部材に接続された吊物手段と、前記支持部材を昇降回転させる駆動機構を備えたことを特徴とする動物用遊戯設備。
【請求項３】
駆動機構は、吊物手段に動物を保持および解除させる際に吊物手段を上方に位置させると共に、吊物手段に動物を保持させて回転させる際に吊物手段を前記動物が水面に漬るように位置させる請求項１又は２記載の動物用遊戯設備。
【請求項４】
駆動機構は、吊物手段に動物を保持および解除させる際に吊物手段を上方に位置させると共に、吊物手段に動物を保持させて回転させる際に吊物手段を前記動物が水面に漬る位置から前記動物が水面に漬らない位置の間を昇降させる請求項１又は２記載の動物用遊戯設備。
【請求項５】
水路槽の上方開口を遮蔽する蓋を開放遮蔽自在に備えた請求項１から請求項４のいずれかに記載の動物用遊戯設備。
【請求項６】
水路槽の底の一部または全部に昇降可能な底板を備えた請求項１から請求項５のいずれかに記載の動物用遊戯設備。
【請求項７】
支柱に複数の支持部材を昇降回転自在に懸架させ、各支持部材に吊物手段を接続した請求項１〜請求項６のいずれかに記載の動物用遊戯設備。
【請求項８】
水路槽内に向けて流水を発生させる流水発生装置を設けた請求項１〜請求項７のいずれかに記載の動物用遊戯設備。
【発明の詳細な説明】
【技術分野】
【０００１】
本発明は、レジャー施設に設置される遊戯設備に関し、特にプール等のレジャー施設に設置される動物用遊戯設備に関するものである。
【背景技術】
【０００２】
従来より、レジャー施設等に設置される遊戯設備に関し、種々提案されている。遊戯設備（メリーゴーランド）の一例として、支柱を中心に回転する回転ステージと、該回転ステージ上で上下動する馬、馬車の乗り物と、前記回転ステージを回転させる回転機構と、前記回転ステージを上昇、下降させる上昇機構と、前記回転ステージ上の乗り物を上下動する乗り物駆動機構とを備えたものであって、利用者の視界を広げる事ができるものであった（特許文献１参照。）。
【特許文献１】特開平９−５６９３１号公報
【発明の開示】
【発明が解決しようとする課題】
【０００３】
しかしながら、上記特許文献１記載の遊戯設備では、従来一般のメリーゴーランドである回転ステージ上で木馬等の乗り物を上下動させつつ、ステージ全体が同一高さ面で回転するものと大差なく、スリルや楽しみを倍増させるに至らなかった。
【０００４】
さらに従来の遊戯設備は、人が利用するための遊戯設備であって、動物が利用するのに適したものではなかった。具体的には、犬や猫などの動物は、予測不可能な行動を起こすため、その安全性を確保することは困難であった。
【０００５】
本発明は、上記問題点に鑑み、動物に対して安全で、かつスリルや楽しみを倍増させることができる動物用遊戯設備を提供することを目的とする。
【課題を解決するための手段】
【０００６】
本発明は上記目的を達成するため、ドーナツ状に形成された水路槽と、前記水路槽より内側に設けた支柱に、昇降回転可能に懸架された支持部材と、動物を保持すると共に前記水路槽上に位置するように支持部材に接続された吊物手段と、前記支持部材を昇降回転させる駆動機構を備えたことを特徴とする。
【０００７】
本発明によれば、水路槽、すなわち水面において、動物を保持する吊物手段が駆動機構により回転するため、安全で、かつスリルや楽しみを倍増させることができる。
【０００８】
また、駆動機構は、吊物手段に動物を保持および解除させる際に吊物手段を上方に位置させると共に、吊物手段に動物を保持させて回転させる際に吊物手段を前記動物が水面に漬るように位置させる。あるいは、駆動機構は、吊物手段に動物を保持および解除させる際に吊物手段を上方に位置させると共に、吊物手段に動物を保持させて回転させる際に吊物手段を前記動物が水面に漬る位置から前記動物が水面に漬さない位置の間を昇降させる。これにより上記同様スリルや楽しみを倍増させることができる。
【０００９】
また、水路槽の上方開口を遮蔽する蓋を開放遮蔽自在に備えたり、または水路槽の底の一部または全部に昇降可能な底板を備えることで、動物を吊物手段に保持することが容易にできる。
【００１０】
また、支柱に複数の支持部材を昇降回転自在に懸架させ、各支持部材に吊物手段を接続しても良い。
【００１１】
また、水路槽内に向けて流水を発生させる流水発生装置を設けると、よりスリルや楽しみを倍増させることができる。特に流水方向を吊物手段の回転方向と逆にすると、より好ましい。
【発明の効果】
【００１２】
本発明によれば、動物に対して安全で、かつスリルや楽しみを倍増させることができる動物用遊戯設備を提供することができる。
【発明を実施するための最良の形態】
【００１３】
以下に本発明の実施形態を図１〜図６に基づいて詳細に説明する。
【００１４】
本実施形態について、図１、図２に基づいて説明する。図１は本実施形態の動物用遊戯設備を示す平面図であり、図２は図１のＡ−Ａ断面図である。また、図３は図１の底板を示す斜視図であり、図４は図１のＢ−Ｂ断面図である。なお、図５、図６は他の実施形態の動物用遊戯設備を示す平面図である。
【００１５】
図１に示すように、実施形態の動物用遊戯設備１は、床面にドーナツ状に凹設された水路槽２と、水路槽２より内側の床面に設けた支柱３と、支柱３に懸架された支持部材４と、動物６を保持すると共に水路槽２上に位置するように支持部材４に接続された吊物手段５と、支柱３を昇降回転させる駆動機構７を備えた構成である。さらに図２に示すように、水路槽２の上方開口を遮蔽する蓋８を開放遮蔽自在に備えられている。
【００１６】
前記水路槽２は、幅約１．２ｍ、深さ約１ｍ、直径約５ｍとなるように形成されている。また水路槽２内に供給された水の水深は約０．８ｍである。なお本実施形態を利用する動物が小型犬の場合水深を浅く設定すればよく、また大型犬の場合水深を深く設定すればよい。
【００１７】
前記支柱３は、図２に示すように、水路槽２より内側の床面に設けられた駆動機構７により昇降回転できるように取り付けられている。そして支柱３の上方には支持部材４が懸架されている。
【００１８】
前記支持部材４は、Ｌ字状に形成されており、一端は支柱３に固定され、他端は吊物手段５に接続されている。
【００１９】
前記吊物手段５は、動物６を保持するものであって、動物６の体を包み込んで保持するネット体５ａとネット体５ａを吊り下げる複数のベルト５ｂから構成されている。ベルト５ｂは支持部材４に取り付けられている。そして吊物手段５は支持部材４により水路槽２上に位置するように配されている。
【００２０】
そして、吊物手段５のネット体５ａに動物６を保持および解除させる際に、駆動機構７の昇降作動により支柱３に固定された支持部材４およびこれに固定された吊物手段５を上方に位置させ、蓋８を水路槽２の上方開口に敷いて遮蔽し、蓋８の上で動物６を保持および解除させる。また、吊物手段５に動物６を保持させて回転させる際には、駆動機構７の昇降作動により吊物手段５を動物６が水路槽２の水面に漬るように位置させ、この状態のまま駆動機構７の回転作動により回転する。なお、回転中において、動物６が水面に漬る位置から前記動物が水面に漬らない位置の間を昇降させながら回転させても良い。
【００２１】
これにより、水路槽２、すなわち水面において、動物６を保持する吊物手段５が駆動機構７により回転するため、安全で、かつスリルや楽しみを倍増させることができる。
【００２２】
本発明は、上記に示す他、種々の構成が考えられる。以下、その一例を説明する。
【００２３】
図６に示すように、水路槽２内に向けて流水を発生させる流水発生装置１１を備えている。この流水発生装置１１は、電動機によって羽部材を回転させて流水を発生させる等の従来から知られた装置を採用している。そして、この流水発生装置１１により、水路槽２内の水を所定方向（吊物手段５の回転方向と反対方向）に流水を発生させると、体感スピードが増し、よりスリルや楽しみを倍増させることができる。また反対に吊物手段５の回転方向と同一方向に水流を発生させても、視覚的に楽しみを倍増させることができる。
【００２４】
また、図３、図４に示すように、水路槽２の底の全部（一部でも良い。）に昇降可能な底板９が備えられている。この底板９は水路槽２の底面とほぼ同一形状に形成された板であって、その大部分にメッシュが施されている。底板９が上下動する際に、大部分がメッシュ状に形成されているため、水の抵抗を低減し、よりスムースに上下動することができる。底板９は、図３に示すような吊り上げ下げ式の昇降手段１０が好ましい。
【００２５】
また、図５に示すように、吊物手段５を複数備えても良い。
【００２６】
さらに、吊物手段５の昇降回転動作について、上記実施例では、吊物手段５、支持部材４および支柱３がそれぞれ固定されており、支柱３が駆動機構７によって昇降回転することで吊物手段５が昇降回転していたが、これに限らず、支柱３が回転動のみ行い支持部材４が昇降動のみ行うというような構成にしたり、あるいは支持部材４のみが昇降回転する構成にしても良い。
【００２７】
なお、水路槽２の形成において、床面上に外壁および内壁を設けて、ドーナツ状の水路槽２を形成しても良い。
【産業上の利用可能性】
【００２８】
本発明は、レジャー施設に設置される遊戯設備に関し、特にプール等のレジャー施設に設置される動物用遊戯設備に関するもので、産業上の利用性を満足することができる。
【図面の簡単な説明】
【００２９】
【図１】本発明の実施形態の動物用遊戯設備を示す平面図である。
【図２】図１のＡ−Ａ断面図である。
【図３】図１の底板を示す斜視図である。
【図４】図１のＢ−Ｂ断面図である。
【図５】本発明の他の実施形態の動物用遊戯設備を示す平面図である。
【図６】本発明の他の実施形態の動物用遊戯設備を示す平面図である。
【符号の説明】
【００３０】
１  動物用遊戯設備
２  水路槽
３  支柱
４  支持部材
５  吊物手段
６  動物
７  駆動機構
８  蓋
９  底板
１１  流水発生装置
【図１】
2007274970.tif 000003
【図２】
2007274970.tif 000004
【図３】
2007274970.tif 000005
【図４】
2007274970.tif 000006
【図５】
2007274970.tif 000007
【図６】
2007274970.tif 000008